(57)【特許請求の範囲】
【請求項１】
ユーザーに把持され、患者の皮膚または歯を被照射部として使用される医療用レーザー照射装置において、
本体と、
前記本体の内部に位置し、レーザー光を発生させて前方に出力するレーザー発振器と、
前記レーザー発振器の前方に配置され、内部にフォーカシングレンズが固定されたビーム鏡筒と、
前記本体の前方に位置し、前記ビーム鏡筒の前後進運動をガイドするビーム鏡筒ガイド部と、
前記ビーム鏡筒の外周面に連結され、前記ビーム鏡筒を前方の前記被照射部に対して相対的に前後進移動させる前後進手段と、
前記ビーム鏡筒ガイド部の前方に結合され、前記ビーム鏡筒を通過したレーザー光が通過されるウィンドウ鏡筒と、を含み、
前記ビーム鏡筒は、
前記外周面の前後方向の中央部において外向きに突き出て形成されたスライディング固定部と、
前記スライディング固定部の前後方向の一側において前記外周面に形成されたネジ部と、
前記スライディング固定部の前後方向の他側において外向きに突き出て形成された前後方向に延びるスライディング突出部と、を含み、
前記前後進手段の内部面には前記ビーム鏡筒の前記ネジ部と対応されるようにネジ山が形成され、前記前後進手段を回転させることで前記ビーム鏡筒が当該医療用レーザー照射装置が接触された前記被照射部に対して前後方向にスライディング移動されることを特徴とする医療用レーザー照射装置。
【請求項２】
前記ビーム鏡筒ガイド部は、
前記ビーム鏡筒の他側部が挿入されるスライディング孔を含み、
前記スライディング孔には、前記スライディング突出部が挿入されるスライディング溝が形成された、請求項１に記載の医療用レーザー照射装置。
【請求項３】
前記前後進手段は、
外周面に沿って形成された凹凸部を含む、請求項１に記載の医療用レーザー照射装置。
【請求項４】
前記ウィンドウ鏡筒は、
前記ウィンドウ鏡筒の内部に位置するウィンドウ部と、
前記ウィンドウ部が固定されるように前記ウィンドウ鏡筒にネジ結合されるウィンドウ固定部と、を含む、請求項１に記載の医療用レーザー照射装置。
【発明の詳細な説明】
【技術分野】
【０００１】
本願は、レーザー照射装置に関する。
【背景技術】
【０００２】
最近、各種の先端技術の発達と共に、各種の医療機器の発達によって、医療分野でも従来とは違って先端のレーザー器機が各種疾病の治療に活用されている。
【０００３】
医療用として使われているレーザーの用途の中で一つとして、肌にレーザー光を照射して肌を穿孔することがあり、肌を穿孔することで、穿孔された肌から採血をするか、穿孔された小さな穴に薬剤を投与するか、肌の点やそばかす等をとり除くことに使われている。
【０００４】
また、歯科医学、特に、虫歯の治療において、機械的接触を常に必要とするドリルとは違って、レーザー器機は無接触治療ができるようにし、更に、高い正確度を有する。また、レーザー器機によれば、機械的接触時の震動や熱によって主に誘発される痛症も最小化することができ、無痛治療の達成が一層容易なので、レーザー器機は最近、従来のドリルのような機械的装置を完全に、または部分的に取り替えている。
【０００５】
一方、これに関し、下記特許文献１（大韓民国公開特許第２００７−００４４６２１号（発明の名称：医療用レーザー照射器及び照射方法））では、電力供給のためのアダプタ、ユーザーによってレーザーの出力強度を調節してレーザーを発生するための本体、及び本体から発生されたレーザーを照射するためのハンドピースの構成を開示している。
【先行技術文献】
【特許文献】
【０００６】
【特許文献１】大韓民国公開特許第２００７−００４４６２１号
【発明の概要】
【発明が解決しようとする課題】
【０００７】
本願は、前述した従来技術の問題点を解決するためのものであって、レーザー穿孔孔の深さとサイズを調節することができ、汚染防止キャップを交替して使うことで感染の防止ができるようになるレーザー照射装置を提供することを目的とする。
【課題を解決するための手段】
【０００８】
前述した技術的課題を達成するための技術的手段として、本願の一実施例に係るレーザー照射装置は、本体と、本体の内部に位置し、レーザー光を発生させて前方に出力するレーザー発振器と、フォーカシングレンズが内部に固定されたビーム鏡筒と、本体の前方に位置し、ビーム鏡筒の前後進運動をガイドするビーム鏡筒ガイド部と、ビーム鏡筒の外周縁に連結され、ビーム鏡筒を前方の被照射部に対して相対的に前後進移動させる前後進手段と、を含み、ビーム鏡筒の外周縁にはネジ山が形成され、前後進手段の内部面にはビーム鏡筒のネジ山と対応されるようにネジ山が形成され、前後進手段を回転させることでビーム鏡筒が前後方向にスライディング移動されることを特徴とする。
【発明の効果】
【０００９】
前述した本願の課題解決手段によれば、ビーム鏡筒を前後進させ、被照射部に照射されるレーザービームによって形成される穿孔孔のサイズと深さを精密に調節することができる効果を有する。
【００１０】
また、患者ごとに個別的に汚染防止キャップを交替して使うことで、患者間で感染されることを予防することができる。
【図面の簡単な説明】
【００１１】
【図１】本発明の一実施例に係るレーザー照射装置の断面図である。
【図２】図１のＡの拡大図である。
【図３】本発明の一実施例に係るビーム鏡筒部及び前後進手段の分解図である。
【図４】本発明の一実施例に係るビーム鏡筒ガイド部の斜視図である。
【図５】本発明の一実施例に係る汚染防止キャップ及びウィンドウ部の分解図である。
【図６】本発明の一実施例に係る汚染防止キャップの斜視図である。
【図７】本発明の一実施例に係るコントロール部の正面図である。
【図８】本発明の一実施例に係る覆い部が追加されたレーザー照射装置の部分拡大図である。
【図９】本発明の一実施例に係る覆い部の斜視図である。
【発明を実施するための形態】
【００１２】
以下では、添付した図面を参照しながら、本願が属する技術分野において通常の知識を持った者が容易に実施できるように、本願の実施例について詳しく説明する。ところが、本願は、多様な異なる形態で具現されることができ、ここで説明する実施例に限定されない。尚、図面において、本願を明確に説明するために、説明とは関係のない部分は省略し、明細書の全体を通じて類似した部分に対しては類似した図面符号を付けた。
【００１３】
本願の明細書の全体において、ある部分が他の部分と「連結」されていると言う時、これは「直接的に連結」されている場合だけではなく、その中間に他の素子を間に置いて「電気的に連結」されている場合も含む。
【００１４】
本願の明細書の全体において、ある部材が他の部材「上に」位置していると言う時、これはある部材が他の部材に接している場合だけではなく、両部材間にまた他の部材が存在する場合も含む。
【００１５】
本願の明細書の全体において、ある部分がある構成要素を「含む」と言う時、これは特に反対の記載がない限り、他の構成要素を除くのではなく、他の構成要素を更に含むことができることを意味する。本願の明細書の全体において使われている程度の用語「約」、「実質的に」などは、言及された意味に固有の製造及び物質許容誤差が提示される時、その数値で、またはその数値に近接した意味として使われ、本願の理解を助けるために、正確か絶対的な数値が言及された開示内容を非良心的な侵害者が不当に利用することを防止するために使われている。本願の明細書の全体において使われている程度の用語「〜する段階」または「〜の段階」は、「〜のための段階」を意味しない。
【００１６】
以下、添付された図面を参照しながら、本願について詳しく説明する。
【００１７】
図１は、本発明の一実施例に係るレーザー照射装置の断面図であり、図２は、図１のＡの拡大図であり、図３は、本発明の一実施例に係るビーム鏡筒部及び前後進手段の分解図であり、図４は、本発明の一実施例に係るビーム鏡筒ガイド部の斜視図であり、図５は、本発明の一実施例に係る汚染防止キャップ及びウィンドウ部の分解図であり、図６は、本発明の一実施例に係る汚染防止キャップの斜視図であり、図７は、本発明の一実施例に係るコントロール部の正面図であり、図８は、本発明の一実施例に係る覆い部が追加されたレーザー照射装置の部分拡大図であり、図９は、本発明の一実施例に係る覆い部の斜視図である。
【００１８】
図１及び図２を参照しながら、本発明の一実施例に係るレーザー照射装置１０（以下、「本レーザー照射装置１０」と称する。）について説明する。
【００１９】
図１を参照すれば、本願のレーザー照射装置１０は、本体１００、レーザー発振器１１０、ビーム鏡筒２００、ビーム鏡筒ガイド部３００、及び前後進手段４００を含むことができる。
【００２０】
レーザー発振器１１０は、本体１００の内部に位置し、光エネルギーを発生させて前方に出力する。
【００２１】
例示的に、レーザー発振器１１０は、電気エネルギーの供給を受けて、光を増幅させ、気体レーザー、液体レーザー、固体レーザー、及び半導体レーザーの中から選択される一つのレーザーのような光エネルギーを発生させて外部に放出することができる。
【００２２】
上述した例示のようなレーザー発振器１１０は、一般的に使われる構成であって、通常の技術者には自明なものであるところ、詳細な説明は省略する。
【００２３】
ビーム鏡筒２００は、レーザー発振器１１０の前方に位置し、内部にフォーカシングレンズ２０２が配置される。
【００２４】
フォーカシングレンズ２０２は、レーザー発振器１１０の前方に配置され、レーザー発振器１１０から入射されるレーザー光を取り集めて前方に照射する。
【００２５】
また、フォーカシングレンズ２０２は、レンズ固定部２４０によってビーム鏡筒２００の内部に固定され得る。
【００２６】
ビーム鏡筒２００は、レーザー発振器１１０から照射されるレーザー光が通過して被照射部に照射される経路を提供する。
【００２７】
ビーム鏡筒ガイド部３００は、本体の前方に位置し、ビーム鏡筒２００の前後進運動をガイドする。
【００２８】
言い換えれば、ビーム鏡筒ガイド部３００は、内部に所定の空間が形成され、ビーム鏡筒２００が位置し、ビーム鏡筒２００がスライディング孔３１０に挿入され、前後方向に移動され得るようにガイドされることができる。
【００２９】
前後進手段４００は、ビーム鏡筒２００を前後進させ、被照射部とフォーカシングレンズ２０２との間の距離が調節され、被照射部に照射されるレーザー光スポットのサイズが調節され得る。
【００３０】
より詳細には、ビーム鏡筒２００の外周縁にはネジ部２２０が形成され、前後進手段４００の内周縁にはビーム鏡筒２００のネジ部２２０と対応されるようにネジ山４１１が形成されて前後進手段４００を回転させることで、ビーム鏡筒２００が前後方向にスライディング移動され得る。
【００３１】
上述した前方とは、レーザー光が照射される方向（図１の９時方向）であることができ、後方とは、前方の反対方向（図１の３時方向）であることができる。
【００３２】
図２〜図４を参照しながら、本発明の一実施例に係るビーム鏡筒２００の移動について詳しく説明する。
【００３３】
図３を参照すれば、ビーム鏡筒２００は、外周縁の中央部に突き出て形成されたスライディング固定部２１０、スライディング固定部２１０の一側の外周面に沿って形成されたネジ部２２０、及びスライディング固定部２１０の他側に前後方向に突き出て形成されたスライディング突出部２３０を含むことができる。
【００３４】
上述した一側とは、前方（図３の１０時方向）であり、他側とは、後方（図３の４時方向）であることができるところ、これに限定されず、一側が後方であり、他側が前方であることができる。言い換えれば、ビーム鏡筒２００のネジ部２２０は、ビーム鏡筒２００の外周面の中、後方に形成され、ビーム鏡筒２００のスライディング突出部２３０は、ビーム鏡筒２００の外周面の中、前方に形成されることもできる。
【００３５】
前後進手段４００は、ビーム鏡筒２００のネジ部２２０が挿入されるように鏡筒挿入孔４１０が形成され、鏡筒挿入孔４１０の内周縁にはビーム鏡筒２００のネジ部２２０にネジ結合されるようにネジ山４１１が形成されることができる。
【００３６】
前後進手段４００は、ビーム鏡筒２００の一側の外周面にネジ結合され、前後進手段４００の回転によってビーム鏡筒２００が前後進することによってフォーカシングレンズ２０２の位置を精密に調節することができる効果を有する。
【００３７】
また、ビーム鏡筒２００は、フォーカシングレンズ２０２が固定されるようにビーム鏡筒２００にネジ結合されるレンズ固定部２４０を含むことができる。この時、レンズ固定部２４０は、レーザー発振器１１０からフォーカシングレンズ２０２に照射されるレーザー光に干渉されないように中央部に孔（図面符号未付与）が穿孔されることが望ましい。
【００３８】
前後進手段４００は、前後方向に移動されず、回転運動が可能になるようにビーム鏡筒ガイド部３００の内部に固定され、前後進手段４００の内周縁に形成されたネジ山４１１とビーム鏡筒２００のネジ部２２０とがネジ結合され得る。
【００３９】
すなわち、前後進手段４００が時計方向または反時計方向に回転することによって、ビーム鏡筒２００は前方または後方に移動され得る。
【００４０】
また、前後進手段４００は、外周面に凹凸部４２０が形成され、ユーザーが前後進手段４００を円滑に回転させることができる。
【００４１】
例示的に、ビーム鏡筒ガイド部３００の上部には、下部に向けて溝が形成され、溝に前後進手段４００の凹凸部４２０が露出され、ユーザーが凹凸部４２０を回転させることができる。ところが、これに限定されるわけではなく、ビーム鏡筒ガイド部３００の側面または下部に溝が形成され、側面または下部に形成された溝に前後進手段４００の凹凸部４２０が露出することもできる。
【００４２】
図４を参照すれば、ビーム鏡筒ガイド部３００は、ビーム鏡筒２００の他側部が挿入されるスライディング孔３１０を含むことができる。
【００４３】
また、スライディング孔３１０には、ビーム鏡筒２００のスライディング突出部２３０が挿入されるスライディング溝３２０が形成されることができる。
【００４４】
言い換えれば、ビーム鏡筒２００は、他側部がスライディング孔３１０に挿入され、前後方向にスライディング移動されることがガイドされ得る。また、ビーム鏡筒２００は、スライディング突出部２１０がスライディング溝３２０に挿入されることによって、ビーム鏡筒２００の回転運動が阻止される可能性があり、前後進手段４００を回転させる場合、ビーム鏡筒２００が回転されず、前後方向にスライディングされることができる。
【００４５】
また、ビーム鏡筒２００のスライディング固定部２１０は、スライディング孔３１０の直径よりも大きく形成され、スライディング孔３１０の前方部にスライディング固定部２１０が接触され、ビーム鏡筒２００の後方に移動範囲を制限することができる。
【００４６】
本体１００の前方とビーム鏡筒ガイド部３００の後方との間には、ビーム鏡筒ガイド部３００が一定範囲で後方への押しが円滑に行われるように、弾性体が介在され得る。
【００４７】
ビーム鏡筒ガイド部３００は、後方に突き出て形成される加圧突出部３３０を更に含むことができる。
【００４８】
ビーム鏡筒ガイド部３００の後方には、押し感知センサー（未図示）が位置し、ビーム鏡筒ガイド部３００が後方に押される場合、加圧突出部３３０が押し感知センサーを加圧することができる。この時、本レーザー照射装置１０は、押し感知センサーに被照射部に接触されたことが感知される場合に、レーザー光が照射されるようにすることで、事故を予め防止することができる。
【００４９】
以下、図５〜図６を参照しながら、本発明の一実施例に係るウィンドウ鏡筒５００及び汚染防止キャップ６００について説明する。
【００５０】
ウィンドウ鏡筒５００は、ビーム鏡筒ガイド部３００の前方に結合され、ビーム鏡筒２００を通過したレーザー光が通過され得る。
【００５１】
例示的に、ウィンドウ鏡筒５００は前後方向で孔が穿孔されて、来週演義後方にネジ山が形成されてビーム鏡筒ガイド部３００の前方にネジ結合されることができる。
【００５２】
また、ウィンドウ鏡筒５００は、ウィンドウ鏡筒５００の内部に位置するウィンドウ部５１０及びウィンドウ部５１０が固定されるように、ウィンドウ鏡筒５００にネジ結合されるウィンドウ固定部５２０を含むことができる。
【００５３】
ウィンドウ部５１０は、ビーム鏡筒２００を通過したレーザー光がウィンドウ鏡筒５００の前方に照射され得るように、透明な材質で製作されることができる。また、ウィンドウ固定部５２０は、レーザー光に干渉されないように、孔が穿孔され得る。
【００５４】
ウィンドウ部５１０は、レーザー照射装置１０を使わずに保管する場合、フォーカシングレンズ２０２が位置するビーム鏡筒ガイド部３００の内部にほこりのような異物が侵透することを防止することができる。
【００５５】
汚染防止キャップ６００は、ウィンドウ鏡筒５００の前方に結合され、ウィンドウ５１０が汚染することを防止することができる。
【００５６】
より詳細には、汚染防止キャップ６００はウィンドウ鏡筒５００の外周縁に挿入される外挿入部６１０、ウィンドウ鏡筒５００の内部に挿入される内挿入部６２０、及び内挿入部６２０の端部に結合された遮断フィルム６３０を含むことができる。
【００５７】
また、外挿入部６１０は、内面にはウィンドウ鏡筒５００の外面に形成される凹溝５３０に係り止め結合される突部６１１が形成され、汚染防止キャップ６００が作業中に非意図的に分離されることを防止することができる。
【００５８】
汚染防止キャップ６００がウィンドウ鏡筒５００に結合された場合、遮断フィルム６３０とウィンドウ部５１０との間には所定の空間が形成され、レーザー光によって遮断フィルム６３０から発生するガスによって誘発される事故を防止することができる。
【００５９】
汚染防止キャップ６００は、ウィンドウ鏡筒５００の前方に交替可能に結合され、患者ごとに個別的に汚染防止キャップ６００を交替して使うことで、患者間の感染を予防することができる。
【００６０】
以下、図１及び図７を参照しながら、本発明の一実施例に係るコントロール部７００について説明する。
【００６１】
レーザー照射装置１０は、レーザー照射装置１０の動作を制御するコントロール部７００を含むことができる。
【００６２】
コントロール部７００は、電源スイッチ７１０、強度調節部７２０、及び表示部７３０を含むことができる。
【００６３】
電源スイッチ７１０は、レーザー光のエネルギー源になる電源をオンオフすることができる。
【００６４】
強度調節部７２０は、レーザー発振器１１０から発振されるレーザー光の強度を調節することができる。
【００６５】
表示部７３０は、強度調節部７２０で調節された強度を表示することができる。例示的に、表示部７３０は、レーザー光の強度を数字で表示することができる。
【００６６】
電源スイッチ７１０及び強度調節部７２０は、物理的なボタンまたはタッチパネルであり、表示部７３０は、液晶ディスプレイであることができる。ところが、これに限定されず、一つのタッチディスプレイ上に電源スイッチ７１０、強度調節部７２０、及び表示部７３０が表示され、ユーザーがタッチディスプレイをタッチすることによって電源またはレーザー光の強度を調節することができる。
【００６７】
コントロール部７００は、レーザー光が出力される方向と対向する本体１００の後面に位置し、本レーザー照射装置１０の動作を制御することができる。
【００６８】
言い換えれば、コントロール部７００は、本体１００の後面に位置し、ユーザーがレーザー照射装置１０を把持した状態でコントロール部７００を操作することができる。
【００６９】
図８及び図９を参照すれば、本レーザー照射装置１０は、ウィンドウ鏡筒５００の前方に結合される覆い部８００を更に含むことができる。
【００７０】
覆い部８００は、内周縁にはウィンドウ鏡筒５００の外面に形成される凹溝５３０に係り止め結合される覆い固定部８１０が形成され、覆い部8００が非意図的に分離されることを防止することができる。
【００７１】
また、覆い部８００は、一側が覆い部８００に結合され、他側が本体１００に結合される紛失防止ワイヤ８２０を含むことができる。これによって、覆い部8００が紛失されることを防止することができる。
【００７２】
本レーザー照射装置１０は、施術者の把持を感知する把持感知センサー、被照射部の接触を感知する接触感知センサー、及びビーム鏡筒ガイド部３００の後方押しを感知する押し感知センサーの中で何れか一つ以上を更に含むことができる。
【００７３】
把持感知センサーは、ユーザーが把持した手によって光が遮られる光センサー、把持した手の熱を感知する熱センサー、把持した圧力を感知する圧力センサーの中で何れか一つのセンサーであり得る。
【００７４】
接触感知センサーは、肌の接触時に人体に流れる微細な電流を感知する電流センサー、接触された肌の温度を感知する温度センサーの中で何れか一つのセンサーであり得る。
【００７５】
押し感知センサーは、後方に押されるビーム鏡筒ガイド部３００の加圧を感知する加圧センサーであり得る。
【００７６】
また、本レーザー照射装置１０は、把持感知センサー、接触感知センサー、押し感知センサーの中で、少なくとも何れか一つ以上のセンサーで感知信号がショートされる場合、レーザー発振器１１０の作動を停止させることができる。
【００７７】
本レーザー照射装置１０は、電源を供給するバッテリー、バッテリーが放電する電源をレーザー光生成のための電源に変換してレーザー発振器１１０に供給するパワーサプライ、レーザー照射装置を制御する制御部を含むことができる。
【００７８】
前述した本願の説明は例示のためのものであり、本願が属する技術分野における通常の知識を持った者は、本願の技術的思想や必須的な特徴を変更せずとも他の具体的な形態に容易に変形可能であることが理解できるだろう。よって、以上で記述した実施例はすべての面で例示的なものであり、限定的なものではないことを理解すべきである。例えば、単一型に説明されている各構成要素は分散して実施されることもでき、同様に、分散されたものだと説明されている構成要素も結合された形態に実施され得る。
【００７９】
本願の範囲は、上記の詳細な説明よりは、後述する特許請求の範囲により現れるはずであり、特許請求の範囲の意味及び範囲、さらにその均等概念から導出される全ての変更または変形された形態が本願の範囲に含まれると解釈しなければならない。
【図１】
0006756734.tif 000002
【図２】
0006756734.tif 000003
【図３】
0006756734.tif 000004
【図４】
0006756734.tif 000005
【図５】
0006756734.tif 000006
【図６】
0006756734.tif 000007
【図７】
0006756734.tif 000008
【図８】
0006756734.tif 000009
【図９】
0006756734.tif 000010